(57)【要約】  改善された保管及び／又は陳列システムに関する。このシステムは、第１前縁部、第１外面、及び第１内面を備える第１側壁と、第２前縁部、第２外面、及び第２内面を備える第２側壁であって、前記第２内面が、前記第１内面と面するように配置されている、第２側壁と、前記第１側壁と前記第２側壁との間に延びている後壁と、前記第１側壁と前記第２側壁との間に配置されるように、前記後壁から前方へ延び、前記第１内面から前記第２内面へと延び、第１上縁部を備える第１棚部と、前記第１前縁部、前記第２前縁部、前記第１外面、前記第２外面、前記後壁、及び前記第１上縁部からなる群から選択される少なくとも１つの他の構成要素と接続された保護構成要素とを備える。【選択図】  図１
2017522932.tif 000002
【特許請求の範囲】
【請求項１】
保管及び／又は陳列のためのシステムであって、
第１前縁部、第１外面、及び第１内面を備える第１側壁と、
第２前縁部、第２外面、及び第２内面を備える第２側壁であって、前記第２内面が、前記第１内面と面するように配置されている、第２側壁と、
前記第１側壁と前記第２側壁との間に延びている後壁と、
前記第１側壁と前記第２側壁との間に配置されるように、前記後壁から前方へ延び、前記第１内面から前記第２内面へと延び、第１上縁部を備える第１棚部と、
前記第１前縁部、前記第２前縁部、前記第１外面、前記第２外面、前記後壁、及び前記第１上縁部からなる群から選択される少なくとも１つの他の構成要素と接続された保護構成要素と
を備える、システム。
【請求項２】
前記保護構成要素は、前記第１前縁部又は前記第２前縁部の少なくとも一方と接続された保護ストリップ又はガードである、請求項１に記載のシステム。
【請求項３】
前記保護構成要素は、前記第１棚部の前記第１上縁部と接続された保護ストリップ又はガードである、請求項１に記載のシステム。
【請求項４】
前記第１上縁部は、弓状である、請求項３に記載のシステム。
【請求項５】
前記保護構成要素は、前記第１外面又は前記第２外面の少なくとも一方と接続された保護パネルである、請求項１に記載のシステム。
【請求項６】
前記保護構成要素は、前記後壁と接続された保護パネルである、請求項１に記載のシステム。
【請求項７】
前記保護構成要素は、ゴムを含む、請求項１に記載のシステム。
【請求項８】
前記保護構成要素は、プラスチックを含む、請求項１に記載のシステム。
【請求項９】
前記保護構成要素は、金属を含む、請求項１に記載のシステム。
【請求項１０】
前記第１側壁は、前記後壁から前記第１前縁部までの距離である幅を有し、前記第１側壁は、少なくとも部分的に前記第１棚部の下方に配置された下部部分、及び少なくとも部分的に前記第１棚部の上方に配置された上部部分を備え、前記下部部分は、前記上部部分に対して角度をなしており、前記第１側壁の前記幅は、前記下部部分の下端において、前記上部部分の前記幅よりも大きくなっている、請求項１に記載のシステム。
【請求項１１】
前記第２側壁は、前記後壁から前記第２前縁部までの距離である幅を有し、前記第２側壁は、少なくとも部分的に前記第１棚部の下方に配置された下部部分、及び少なくとも部分的に前記第１棚部の上方に配置された上部部分を備え、前記下部部分は、前記上部部分に対して角度をなしており、前記第２側壁の前記幅は、前記前記下部部分の下端において、前記上部部分の前記幅よりも大きくなっている、請求項１０に記載のシステム。
【請求項１２】
前記保護構成要素は、前記上部部分及び前記下部部分に接続されている、請求項１０に記載のシステム。
【請求項１３】
前記保護構成要素は、接着剤により前記少なくとも１つの他の構成要素に接続されている、請求項１に記載のシステム。
【請求項１４】
前記保護構成要素は、リベットにより前記少なくとも１つの他の構成要素に接続されている、請求項１に記載のシステム。
【請求項１５】
前記保護構成要素は、ねじにより前記少なくとも１つの他の構成要素に接続されている、請求項１に記載のシステム。
【請求項１６】
前記保護構成要素は、ボルトにより前記少なくとも１つの他の構成要素に接続されている、請求項１に記載のシステム。
【請求項１７】
前記保護構成要素は、スナップ接続により前記少なくとも１つの他の構成要素に接続されている、請求項１に記載のシステム。
【請求項１８】
前記保護構成要素は、スロットフィット接続により前記少なくとも１つの他の構成要素に接続されている、請求項１に記載のシステム。
【請求項１９】
（ｉ）第１前縁部、第１外面、及び第１内面を備える第１側壁と、（ｉｉ）第２前縁部、第２外面、及び第２内面を備える第２側壁であって、前記第２内面が、前記第１内面と面するように配置されている、第２側壁と、（ｉｉｉ）前記第１側壁と前記第２側壁との間に延びている後壁と、（ｉｖ）前記第１側壁と前記第２側壁との間に配置されるように、前記後壁から前方へ延び、前記第１内面から前記第２内面へと延び、第１上縁部を備える第１棚部と、（ｖ）前記第１前縁部、前記第２前縁部、前記第１外面、前記第２外面、前記後壁、及び前記第１上縁部からなる群から選択される少なくとも１つの他の構成要素と接続された保護構成要素と、を備える装置内に物品を保管することを含む方法。
【請求項２０】
（ｉ）第１前縁部、第１外面、及び第１内面を備える第１側壁と、（ｉｉ）第２前縁部、第２外面、及び第２内面を備える第２側壁であって、前記第２内面が、前記第１内面と面するように配置されている、第２側壁と、（ｉｉｉ）前記第１側壁と前記第２側壁との間に延びている後壁と、（ｉｖ）前記第１側壁と前記第２側壁との間に配置されるように、前記後壁から前方に延び、前記第１内面から前記第２内面へと延び、第１上縁部を備える第１棚部と、（ｖ）前記第１前縁部、前記第２前縁部、前記第１外面、前記第２外面、前記後壁、及び前記第１上縁部からなる群から選択される少なくとも１つの他の構成要素と接続された保護構成要素と、を備える装置に物品を陳列することを含む、方法。
【発明の詳細な説明】
【優先権の主張】
【０００１】
[0001]本出願は、２０１４年６月１９日に出願された、米国特許仮出願第６２／０１４，２５５号に対する優先権を主張するものであり、その全体が参照により本明細書に援用される。
【技術分野】
【０００２】
[0002]本発明は、容器、及びより具体的には、保管及び／又は陳列システムに関する。
【図面の簡単な説明】
【０００３】
【図１】本開示により提示される、保管及び／又は陳列システムの一実施形態の前方斜視図。
【図２】本開示により提示される、保管及び／又は陳列システムの一実施形態の側方斜視図。
【図３】本開示により提示される、保管及び／又は陳列システムの一実施形態の前方斜視図。
【発明を実施するための形態】
【０００４】
[0006]以下、図１〜３を参照すると、本発明による、保管及び／又は陳列システム１０の１つの非限定的な実施形態が示されている。図１〜３は、２つの保管棚部１１、１２を有する保管及び／又は陳列システム１０を例示しているが、保管及び／又は陳列システム１０は、２つの保管棚部１１、１２より多くの保管棚部を有してもよいことが理解される。保管及び／又は陳列システム１０の高さ及び幅は、非限定的である。保管及び／又は陳列システム１０を形成するために使用される材料は非限定的である。
【０００５】
[0007]保管及び／又は陳列システム１０に追加的な安定性をもたらすため、保管及び／又は陳列システム１０の前方基部２１、３１は、保管及び／又は陳列システム１０の上部部分２２、３２よりも幅が広いものとして例示されているが、これは必須ではない。棚部１１、１２の面１３、１４は、弓状であるか、又は湾曲しているが、これは必須ではない。保管及び／又は陳列システム１０への損傷を抑制又は防止するために、保管及び／又は陳列システム１０の前縁部２３、３３は任意により保護ストリップ又はガード２４、３４を備え得るが、これは必須ではない。保護ストリップ又はガード２４、３４は、木、金属、プラスチック、ゴムなど、耐久性材料で作製することができる。保護ストリップ又はガード２４、３４は、様々な手段（例えば、接着剤、リベット、ねじ、ボルト、スナップ接続、スロットフィット接続など）により前縁部２３、３３に接続され得る。保管及び／又は陳列システム１０への損傷を抑制又は防止するために、保管及び／又は陳列システム１０の一方又は両方の側部２５、３５は任意により保護パネル２６を備え得るが、これは必須ではない。保護パネル２６は、木、金属、プラスチック、ゴムなど、耐久性材料で作製することができる。保護パネル２６は、様々な手段（例えば、接着剤、リベット、ねじ、ボルト、スナップ接続、スロットフィット接続など）により側部に接続され得る。棚部１１、１２のうちの１つ以上の、面１３、１４の上縁部１５、１６は、保護ストリップ又はガード１７、１８を備え得る。保護ストリップ又はガード１７、１８は、木、金属、プラスチック、ゴムなど、耐久性材料で作製することができる。保護ストリップ又はガード１７、１８は、様々な手段（例えば、接着剤、リベット、ねじ、ボルト、スナップ接続、スロットフィット接続など）により前縁部１５、１６に接続され得る。棚部１１、１２のうちの１つ以上の、後面４０は、保護パネル４１を備え得る。保護パネル４１は、木、金属、プラスチック、ゴムなど、耐久性材料で作製することができる。保護パネル４１は、様々な手段（例えば、接着剤、リベット、ねじ、ボルト、スナップ接続、スロットフィット接続など）により後面４０に接続され得る。
【０００６】
[0008]したがって、前述の記載から明らかとなったものから、上記目的は効率的に達成されることが分かるであろう。また、記載の構造において、本発明の趣旨及び範囲から逸脱することのない限りは特定の変更を施してもよいことから、上記記載に含まれ、添付の図面に示されるすべての物は例示であり、限定を意味するものではないと解釈されるものとする。本発明を、好ましく、代替的な実施形態を参照しながら記載してきた。当業者には、本明細書中に記載される本発明の詳細な説明を読み、理解すると、改良及び変更が明らかとなろう。本発明は、本発明の範囲内にある限りは任意のそのような改良及び変更を含むものとする。また、以下の特許請求の範囲は、本明細書中に記載されている本発明の一般的な特徴及び特定の特徴のすべて並びに本発明の範囲のすべての記載（言語の都合上、その間の範囲にある（fall therebetween）と記載される可能性がある）を包含するものと理解すべきである。好ましい実施形態を参照ながら本発明を記載してきた。本発明の好ましい実施形態並びに他の実施形態のこれら及び他の改良は本明細書中の開示から明らかとなろう。前述の説明は単に本発明を例示するものであり、限定するものではないと捉えられるべきである。そのようなすべての変形及び変更は、添付の特許請求の範囲内にある限り包含されるものとする。
【図１】
2017522932.tif 000003
【図２】
2017522932.tif 000004
【図３】
2017522932.tif 000005
【国際調査報告】
2017522932.tif 000006
2017522932.tif 000007
2017522932.tif 000008